(57)【要約】      （修正有）【課題】昼間・夜間でも広告内容を訴求できるサンドイッチ型広告パネルを提供する。【解決手段】発光ディスプレイ２を装着した２枚のパネル１を肩紐８で取り付け、夜間使用のサンドイッチパネルを装着した人間１１の肩に背負う。パネル１内の発光ディスプレイ２のディスプレイ画面１９上に書かれた文字もしくはデザイン５が発光することで、夜間においてもサンドイッチ型広告パネルは視認性の高いものとなる。また、昼間においては、発光ディスプレイ２を取り外し、粘着テープでパネル１上にポスターを張付けることで、昼夜での視認性の高いサンドイッチ型広告パネルとなる。【選択図】図９
0003126352.tif 000002
【実用新案登録請求の範囲】
【請求項１】
上部裏面にケースを設け、該ケースの対向する表面に開口部を形成すると共に、前説開口部を除く表面に形成された固定的な表示内容を表示する、固定表示部を有した正面パネルと前記ケース内に装着される発光ディスプレイと、前記正面側パネルと対峙して設けられた裏面側パネルと該裏面側パネルと正面側パネルの上部２ヶ所に着脱可能に取り付けられた左右一対の肩紐からなることを特徴としたサンドイッチ型広告パネル。
【請求項２】
ケース側面に挿入口を設け、発光ディスプレイをスライドして挿入又は取り外すことができることを特徴とした請求項１記載のサンドイッチ型広告パネル。
【請求項３】
発光ディスプレイ未使用時には画面部分にポスターを粘着テープでディスプレイ表面に貼ることができることを特徴とする請求項１記載のサンドイッチ型広告パネル。
【請求項４】
発光ディスプレイの画面部分に蛍光材料を含んだ導電性のインクを含浸したペンを用いて文字、もしくはデザインを記載することができ、前記表示部は消すことができることを特徴とする請求項１記載のサンドイッチ型広告パネル。
【考案の詳細な説明】
【考案の詳細な説明】
【技術分野】
【０００１】本考案は、昼間・夜間でも広告内容を訴求できるサンドイッチ型広告パネルに関するものである。
【背景技術】
【０００２】サンドイッチ型広告パネルは主に屋外で使用し、広告する内容を掲載する２枚パネルとこれを背負う為の肩紐で成り、路上における移動式広告ツールとして多用されている。このうち、パネルは天然素材あるいは、化学樹脂を素材とし、それらを麻やビニール素材の肩紐にて結んで肩へ掛けるのが一般的である。
【考案が解決しようとする課題】
【０００３】しかしながら、上記従来のサンドイッチ型広告パネルは屋外での使用において太陽の明かりや蛍光灯の明かりに頼っていた為、夜間においての視認性に欠けるという難点があった。
【課題を解決するための手段】
【０００４】本考案は上記の課題を解決する為に、サンドイッチ型広告パネルの裏面上部に乾電池で稼動できる発光ディスプレイ用のケースを形成し、発光ディスプレイを装着する。蛍光材料を含んだ導電性のインクを含浸したペンにて文字もしくはデザインを発光ディスプレイに記入すると文字もしくはデザインが発光し、夜間であっても視認性の高い広告パネルである。また、インクが除去可能な部材にて記載内容を容易に消すことができ、ペンで記入することで、容易な広告内容の変更が可能である。
【０００５】さらに、発光ディスプレイを装着したパネル２枚を合成樹脂とクッションスポンジからなる肩紐で両端を面ファスナーで固定することで、昼間・夜間であっても視認性が高いサンドイッチ型広告パネルとなる。
【作用】
【０００６】本考案では、一対の肩紐を両肩に掛けてサンドイッチ型広告パネルを背負う事ができ、自由に移動し、広告活動をすることができる。
【０００７】また、昼間は広告パネルにポスターを貼り、広告面として活用し、特に夜間等の視認性が落ちてきた段階でポスターを剥がし、発光ディスプレイを装着する事で広告活動を行う事により視認性の高い昼夜における広告活動を可能にした。
【考案を実施するための最良の形態】
【０００８】以下、本考案の実施形態を図面に基づいて説明する。
図１は本考案の広告パネルの表面図で、発光ディスプレイの装着方法を表側から表示した図である。パネル１に肩紐挿入口１６や発光ディスプレイスイッチ用操作口１４、発光ディスプレイ表示口１５を開け、その裏面にケース３を取り付ける。ケース３へ発光ディスプレイ２を発光ディスプレイ表示口１５にディスプレイ画面１９が見えるように挿入する。パネル１やケース３の素材は天然素材や合成樹脂にて作成する。
また、使用する発光ディスプレイは株式会社トミー製造のルミパッド（商標登録番号：４６９６２０９号）を用いているが、発光ディスプレイであれば、この限りではない。【０００９】図２は本考案の広告パネルの裏面図で、発光ディスプレイの装着方法を裏面から表示した図である。パネル１の裏面にケース３を取り付け、片側部分に発光ディスプレイ挿入口１８より発光ディスプレイ２を横から挿入する。図１の発光ディスプレイ表示口１５がディスプレイ面１９、発光ディスプレイスイッチ１７が発光ディスプレイスイッチ用操作口１４の位置まで挿入する。発光ディスプレイ２が装着中に動いたとき、落ちないように滑り止めゴム４をケース３に敷く。【００１０】図３は本考案の広告パネルの右側面図である。こちら側に図２の発光ディスプレイ２を挿入する為の発光ディスプレイ挿入口１８を開け、広告パネルの右側からケース３に挿入する。【００１１】図４は本考案の広告パネルの左側面図である。こちら側には図３の穴を開けず、発光ディスプレイを落ち難くする。
また、今回は広告パネル右側面に発光ディスプレイ挿入口１８を開けたが、左側面に発光ディスプレイ挿入口１８を開けて使用しても構わない。【００１２】図５は本考案の広告パネルに発光ディスプレイを装着した図である。図２のケース３に発光ディスプレイ２を奥まで装着すると、図５のように発光ディスプレイ表示口１５にディスプレイ画面１９が現れる。【００１３】図６は発光ディスプレイを表した図である。発光ディスプレイ２に蛍光材料を含んだ導電性のインクを含浸したペン６で文字もしくはデザイン５（図６上ではＧＲＡＮＤＯＰＥＮと記載）がディスプレイ画面１９上で発光する。また、発光する文字もしくはデザイン５はインクの除去可能な部材７で拭くことで、文字もしくはデザイン５を消し、新しい内容の広告を書く事ができる。【００１４】図７は本考案のパネル２枚を取り付ける肩紐を表した図である。肩紐８は柔軟性の合成樹脂で樹脂内にはクッションスポンジを内蔵する。肩紐８の表面には面ファスナー雄９と面ファスナー雌１０を付け、図１のパネル１上部の肩紐挿入口１６に通し、面ファスナー雄９と面ファスナー雌１０をくっつけることで、パネル２枚をサンドイッチ型にする。【００１５】図８は本考案のパネル２枚を肩紐で取り付け、サンドイッチ型にした図である。パネル１を２枚、肩紐８で取り付けると、図８のようなサンドイッチ型となる。【００１６】図９は本考案の夜間実施時を表した図である。図８でサンドイッチ型にした２枚のパネル１を肩紐８の間に夜間使用のサンドイッチパネルを装着した人間１１が首を通し、肩紐８を両肩にて背負い、発光ディスプレイ２が夜間使用のサンドイッチパネルを装着した人間１１の中央の位置で文字もしくはデザイン５がディスプレイ画面１９上で発光する。【００１７】図１０は本考案のパネルをサンドイッチ型にし、夜間の屋外での使用を表した図である。２枚のパネル１を背負った夜間使用のサンドイッチパネルを装着した人間１１が屋外の道路１２上に立つ、もしくは矢印のように動き発光する文字もしくはデザイン５を不特定多数の人へ広告内容の告知をする。【００１８】図１１は本考案の昼間に使用するパネルを表した図である。図２の発光ディスプレイ２を取り外し、パネル１の表面にポスター９を粘着テープで固定する。【００１９】図１２は本考案の昼間実施時を表した図である。図９のようにパネル１を肩紐８で取り付け、肩紐８の間を昼間使用のサンドイッチパネルを装着した人間１３の首を通し、両肩で背負う。この際、パネル１の表面にはポスター９を張りつけている状態にする。【００２０】図１３は本考案のパネルをサンドイッチ型にし、昼間の屋外での使用を表した図であす。２枚のパネル１を背負った昼間使用のサンドイッチパネルを装着した人間１３が昼間の屋外の道路１２上に立つ、もしくは矢印のように動き、ポスター９の広告内容を不特定多数の人へ告知する。
【図面の簡単な説明】
【００２１】
【図１】本考案に使用するパネルの表面図である。
【図２】本考案に使用するパネルの裏面図である。
【図３】本考案に使用するパネルの右側面図である。
【図４】本考案に使用するパネルの左側面図である。
【図５】本考案に使用するパネルに発光ディスプレイを設置した図である。
【図６】本考案に使用する発光ディスプレイの図である。
【図７】本考案に使用する肩紐の図である。
【図８】本考案の全体図である。
【図９】本考案を使用する状態の図である。
【図１０】本考案の夜間使用中の図である。
【図１１】本考案の昼間に使用する状態の図である。
【図１２】本考案を昼間使用する状態の図である。
【図１３】本考案の昼間使用中の図である。
【符号の説明】
【００２２】１    パネル
２    発光ディスプレイ
３    発光ディスプレイ装着ケース
４    滑り止めゴム
５    発光する文字もしくはデザイン
６    発光ディスプレイ専用ペン
７    発光ディスプレイ専用黒板消し
８    肩紐
９    面ファスナー雄
１０  面ファスナー雌
１１  夜間使用のサンドイッチパネルを装着した人
１２  道路
１３  昼間使用のサンドイッチパネルを装着した人
１４  発光ディスプレイスイッチ用操作口
１５  発光ディスプレイ表示口
１６  肩紐挿入口
１７  発光ディスプレイスイッチ
１８  発光ディスプレイ装入口
１９  ディスプレイ画面
【図１】
0003126352.tif 000003
【図２】
0003126352.tif 000004
【図３】
0003126352.tif 000005
【図４】
0003126352.tif 000006
【図５】
0003126352.tif 000007
【図６】
0003126352.tif 000008
【図７】
0003126352.tif 000009
【図８】
0003126352.tif 000010
【図９】
0003126352.tif 000011
【図１０】
0003126352.tif 000012
【図１１】
0003126352.tif 000013
【図１２】
0003126352.tif 000014
【図１３】
0003126352.tif 000015